(57)【要約】【課題】デジタルアーカイブ設備に蓄積されたデジタルデータを用いて展示映像を自動作成できるようにすること。【解決手段】デジタルアーカイブシステムに様々なデジタルデータを収納し、デジタルアーカイブシステムに収納されているデジタルデータの中から、展示映像の素材データとして用いるものを、展示映像用サーバにダウンロードして蓄積し、展示映像用サーバにて、展示映像用サーバに蓄積された各素材データを自動編集システムに送出する順序を各素材データに割り振り、この送出順序で各素材データを展示映像用サーバから自動編集システムに順次送出し、展示映像用サーバから自動編集システムに送出された各素材データを所定の規格の映像信号に変換し、自動編集システムにて、プリセットされた編集データに基づき、所定の規格の映像信号で表現された各素材データを展示映像に自動編集する。【選択図】なし【特許請求の範囲】
【請求項１】
デジタルアーカイブシステムと、展示映像用サーバと、自動編集システムとを具備するシステムで実行される方法であって、
デジタルアーカイブシステムに様々なデジタルデータを収納する工程と、
デジタルアーカイブシステムに収納されているデジタルデータの中から、展示映像の素材データとして用いるものを、展示映像用サーバにダウンロードして蓄積する工程と、
展示映像用サーバにて、展示映像用サーバに蓄積された各素材データを自動編集システムに送出する順序を各素材データに割り振り、この送出順序で各素材データを展示映像用サーバから自動編集システムに順次送出する工程と、
展示映像用サーバから自動編集システムに送出された各素材データを所定の規格の映像信号に変換する工程と、
自動編集システムにて、プリセットされた編集データに基づき、所定の規格の映像信号で表現された各素材データを展示映像に自動編集する工程とを含むことを特徴とする展示映像自動作成方法。
【請求項２】
展示映像を、上映システムの入力信号にあわせた形式の信号で、自動編集システムから上映システムに出力する工程を含むことを特徴とする請求項１に記載の展示映像自動作成方法。
【請求項３】
様々なデジタルデータを収納するデジタルアーカイブシステムと、展示映像用サーバと、プリセットされた編集データに基づき所定の規格の映像信号で表現された各素材データを展示映像に自動編集する自動編集システムとを具備し、
デジタルアーカイブシステムに収納されているデジタルデータの中から、展示映像の素材データとして用いるものを、展示映像用サーバにダウンロードして蓄積する手段と、
展示映像用サーバに蓄積された各素材データを自動編集システムに送出する順序を各素材データに割り振り、この送出順序で各素材データを展示映像用サーバから自動編集システムに順次送出する手段と、
展示映像用サーバから自動編集システムに送出された各素材データを所定の規格の映像信号に変換する手段とを備えることを特徴とする展示映像自動作成システム。
【請求項４】
展示映像を、上映システムの入力信号にあわせた形式の信号で、自動編集システムから上映システムに出力する手段を備えることを特徴とする請求項３に記載の展示映像自動作成システム。
【発明の詳細な説明】
【０００１】
【発明の属する技術分野】
本発明は、展示映像自動作成方法及びシステムに関する。
【０００２】
【従来の技術】
近年のＩＴ化は、美術館や博物館などの文教施設にも影響を及ぼし、収蔵資料等のデジタルアーカイブ設備は急速に整備されつつある。
【０００３】
【発明が解決しようとする課題】
しかしながら、資料のデジタルアーカイブ設備への入力作業や、デジタルアーカイブ設備に蓄積されたデジタルデータを活用したコンテンツ制作は、依然として人手に頼った作業である。
【０００４】
特に、デジタルアーカイブ設備に蓄積されたデジタルデータを活用したコンテンツ制作については時間、手間に加えて専門知識も必要である。
【０００５】
そのため、デジタルアーカイブ設備に蓄積されたデジタルデータを出力し、有効活用するといったことについては、ほとんど実践されておらず、デジタルアーカイブ設備に蓄積されたデジタルデータは資料目録の電子化の域を出ていないのが実情である。
【０００６】
本発明は係る実情に鑑みてなされたもので、デジタルアーカイブ設備に蓄積されたデジタルデータを用いて展示映像を自動作成できるようにすることを課題とする。
【０００７】
【課題を解決するための手段】
本発明において上記の課題を達成するために、まず請求項１の発明では、デジタルアーカイブシステムと、展示映像用サーバと、自動編集システムとを具備するシステムで実行される方法であって、
デジタルアーカイブシステムに様々なデジタルデータを収納する工程と、
デジタルアーカイブシステムに収納されているデジタルデータの中から、展示映像の素材データとして用いるものを、展示映像用サーバにダウンロードして蓄積する工程と、
展示映像用サーバにて、展示映像用サーバに蓄積された各素材データを自動編集システムに送出する順序を各素材データに割り振り、この送出順序で各素材データを展示映像用サーバから自動編集システムに順次送出する工程と、
展示映像用サーバから自動編集システムに送出された各素材データを所定の規格の映像信号に変換する工程と、
自動編集システムにて、プリセットされた編集データに基づき、所定の規格の映像信号で表現された各素材データを展示映像に自動編集する工程とを含むことを特徴とする展示映像自動作成方法としたものである。
【０００８】
また請求項２の発明では、展示映像を、上映システムの入力信号にあわせた形式の信号で、自動編集システムから上映システムに出力する工程を含むことを特徴とする請求項１に記載の展示映像自動作成方法としたものである。
【０００９】
また請求項３の発明では、様々なデジタルデータを収納するデジタルアーカイブシステムと、展示映像用サーバと、プリセットされた編集データに基づき所定の規格の映像信号で表現された各素材データを展示映像に自動編集する自動編集システムとを具備し、
デジタルアーカイブシステムに収納されているデジタルデータの中から、展示映像の素材データとして用いるものを、展示映像用サーバにダウンロードして蓄積する手段と、
展示映像用サーバに蓄積された各素材データを自動編集システムに送出する順序を各素材データに割り振り、この送出順序で各素材データを展示映像用サーバから自動編集システムに順次送出する手段と、
展示映像用サーバから自動編集システムに送出された各素材データを所定の規格の映像信号に変換する手段とを備えることを特徴とする展示映像自動作成システムとしたものである。
【００１０】
また請求項４の発明では、展示映像を、上映システムの入力信号にあわせた形式の信号で、自動編集システムから上映システムに出力する手段を備えることを特徴とする請求項３に記載の展示映像自動作成システムとしたものである。
【００１１】
【発明の実施の形態】
以下に、本発明の一実施形態を説明する。
【００１２】
１．構成
本実施形態では、美術館や博物館などの文教施設に、図１に示すように、ストレージと、バックアップ装置と、ストレージエリアネットワークとを備えるデジタルアーカイブシステムと、展示映像用サーバと、自動編集システムと、上映システムとを備える大型展示映像システムとを設ける。
【００１３】
また、図１に示すように、ストレージと、バックアップ装置と、展示映像用サーバとは、ストレージエリアネットワークに接続される。ストレージエリアネットワークは高速なネットワークである。この接続により、ストレージとバックアップ装置との間、展示映像用サーバとストレージとの間、展示映像用サーバとバックアップ装置との間のそれぞれで、高速のデータ通信が可能であり、さらに、システムの稼動を中断することなくメンテナンス、データ更新が可能となる。
【００１４】
また、図１に示すように、展示映像用サーバと自動編集システムとは接続され、この接続により、展示映像用サーバと自動編集システムとの間でデータ通信が可能になる。また、図１に示すように、自動編集システムと上映システムとは接続され、この接続により、自動編集システムと上映システムとの間でデータ通信が可能になる。
【００１５】
ストレージは、様々なデジタルデータを収納するための大容量の記憶装置である。
【００１６】
バックアップ装置は、ストレージに収納されているデジタルデータをバックアップするための大容量の記憶装置である。
【００１７】
デジタルアーカイブシステムにデジタルデータを収納するとは、デジタルデータをストレージに収納すると共に、このデジタルデータのコピーをバックアップ装置に収納することを意味する。
【００１８】
デジタルアーカイブシステムにデジタルデータを収納するに際して、このデジタルデータを、アセットマネージメントシステムのメタデータ検索機能を用いたメタデータ検索が実行できる仕様で収納する。このアセットマネージメントシステムは、自動編集システム内に配置される。
【００１９】
デジタルアーカイブシステムに収納されるデジタルデータには、美術館や博物館などの文教施設の収蔵資料等を、高精細画像、動画、ＣＧ、音声、テキストなどで表現するものが含まれ、さらに、テロップ、ナレーション、ＢＧＭなどが展示映像の制作に必要であれば、これらテロップ、ナレーション、ＢＧＭなども含まれる。
【００２０】
デジタルアーカイブシステムに収納されているデジタルデータの中から、展示映像の素材データとして用いるものを、展示用サーバにダウンロードして蓄積する。これは、アセットマネージメントシステムのメタデータ検索機能を用いて、任意に設定したテーマに基づいたデジタルデータを検索して収集することにより行える。
【００２１】
展示映像用サーバにて、展示用サーバに蓄積された各素材データを展示映像用サーバから自動編集システムに送出する順序を各素材データに割り振る。この送出順序の割り振りは、送出順序を割り振るためのソフトウェアを、展示映像用サーバが実行することにより行われる。
【００２２】
展示映像用サーバは、この送出順序で各素材データを展示サーバから自動編集システムに順次送出する。
【００２３】
マルチレゾリューションスイッチャーの機能を利用して、展示映像用サーバから自動編集システムに送出された各素材データを、所定の規格の映像信号に変換する。
【００２４】
自動編集システムは、マルチレゾリューションスイッチャーの機能を有しても良い。よって、様々な形式の信号で表現された素材データが、展示映像用サーバから自動編集システムに直接入力される。
【００２５】
映像信号の規格には、例えば、日本や北米で採用されているＮＴＳＣ規格、中国や西洋諸国で採用されているＰＡＬ規格、フランスや東欧諸国で採用されているＳＥＣＡＭ規格がある。さらに、ハイビジョン規格、コンピュータ向けのＲＧＢ出力規格などがある。
【００２６】
自動編集システムにて、プリセットされた編集データに基づき、所定の規格の映像信号で表現された各素材データを展示映像に自動編集する。この編集データは、ＥＤＬデータとも呼ばれ、オンライン編集機、オフライン編集機、あるいは、デスクトップビデオ（ＤＴＶ）のアプリケーションを利用して作成されるものである。
【００２７】
マルチレゾリューションスイッチャーの機能を利用して、展示映像を、上映システムの入力信号にあわせた形式の信号で、自動編集システムから上映システムに出力する。
【００２８】
上映システムは、自動編集システムから送られた展示映像を上映する。
【００２９】
２．処理
以下に、デジタルアーカイブシステムに収納されているデジタルデータを利用して、大型展示映像システムで、展示映像を作成して上映する処理の流れの例を、図２のフローチャートに従って説明する。
【００３０】
ＳＴＥＰ１；
デジタルアーカイブシステムに収納されているデジタルデータの中から、展示映像の素材データとして用いるものを、展示用サーバにダウンロードして蓄積する。
【００３１】
ＳＴＥＰ２；
展示映像用サーバにて、展示用サーバに蓄積された各素材データを展示映像用サーバから自動編集システムに送出する順序を各素材データに割り振り、この送出順序で各素材データを展示サーバから自動編集システムに順次送出する。
【００３２】
ＳＴＥＰ３；
展示映像用サーバから自動編集システムに送出された各素材データを、所定の規格の映像信号に変換する。
【００３３】
ＳＴＥＰ４；
自動編集システムにて、プリセットされた編集データに基づき、所定の規格の映像信号で表現された各素材データを展示映像に自動編集する。
【００３４】
ＳＴＥＰ５；
展示映像を、上映システムの入力信号にあわせた形式の信号で、自動編集システムから上映システムに出力する。
【００３５】
ＳＴＥＰ６；
上映システムは、自動編集システムから送られた展示映像を上映する。
【００３６】
【発明の効果】
請求項１及び３の発明は、デジタルアーカイブシステムに蓄積されたデジタルデータを用いて展示映像を自動作成できるという効果がある。
【００３７】
請求項２及び４の発明は、請求項１及び３の発明の効果に加えて、自動作成した展示画像を上映システムに送って上映できるという効果がある。
【図面の簡単な説明】
【図１】本実施実施形態に係るシステムの構成例を示す図。
【図２】デジタルアーカイブシステムに収納されているデジタルデータを利用して、大型展示映像システムで、展示映像を作成して上映する処理の流れの例を説明するフローチャート。
【図１】
2004289535.tif 000002
【図２】
2004289535.tif 000003